【手続補正書】
【提出日】平成30年2月9日(2018.2.9)
【手続補正１】
【補正対象書類名】特許請求の範囲
【補正対象項目名】全文
【補正方法】変更
【補正の内容】
【特許請求の範囲】
【請求項１】
入力対象面内に対して接触した状態にある操作オブジェクトによって示されるタッチ位置を検出するタッチ位置検出手段と、
前記入力対象面に対して近接した状態にある前記操作オブジェクトによって示される近接位置を検出する近接位置検出手段と、
前記操作オブジェクトの前記タッチ位置による操作の種類を移動操作と認識するための条件を、前記タッチ位置検出手段によって前記タッチ位置が検出され始める前に、前記近接位置検出手段によって検出された前記近接位置の移動量に応じて決定する決定手段と、前記操作オブジェクトが前記移動操作を開始したことを、前記検出されたタッチ位置と前記決定された条件に基づいて認識する認識手段と、を備えることを特徴とする情報処理装置。
【請求項２】
前記認識手段は、前記操作オブジェクトの一連の動作において、前記タッチ位置検出手段によってタッチ位置が検出され始める前の段階で前記近接位置検出手段によって検出された近接位置が、第１条件を満たす移動をしたか否かに応じて、前記タッチ位置検出手段によって検出されたタッチ位置の移動によって満たされるか否かを判定する条件を異ならせ、前記タッチ位置と前記近接位置とがそれぞれの条件を満たす移動をした場合に、前記操作オブジェクトによって前記タッチ位置を移動させる操作が開始されたと判定することを特徴とする請求項１に記載の情報処理装置。
【請求項３】
前記第１条件とは、前記操作オブジェクトが前記入力対象面に対して接触する前に近接していた状態で、前記入力対象面に平行な方向に所定の移動量より大きく移動していた場合に満たされる条件であり、
前記認識手段は、前記第１条件が満たされない場合、前記タッチ位置検出手段によって検出されたタッチ位置の移動によって満たされるか否かを判定する条件を、前記第１条件が満たされた場合よりも厳しい条件とすることを特徴とする請求項２に記載の情報処理装置。
【請求項４】
前記認識手段は、前記第１条件が満たされない場合、前記タッチ位置検出手段によって検出されたタッチ位置の移動量が、第２条件を満たすかに応じて、前記操作オブジェクトによって前記タッチ位置を移動させる操作が開始されたと認識し、
前記第１条件が満たされた場合、前記タッチ位置検出手段によって検出されたタッチ位置の移動量が第３条件を満たすかに応じて、前記操作オブジェクトによって前記タッチ位置を移動させる操作が開始されたと認識することを特徴とする請求項３に記載の情報処理装置。
【請求項５】
前記第２条件は、前記入力対象面に対して近接していた状態で、前記入力対象面に平行な方向に所定の移動量より大きく移動した直後に前記入力対象面に接触した前記操作オブジェクトが、前記入力対象面に接触した状態で、前記第３条件を満たす場合よりも大きく移動した場合に満たされる条件であることを特徴とする請求項４に記載の情報処理装置。
【請求項６】
前記認識手段は、前記操作オブジェクトによって前記タッチ位置を移動させる操作が開始されたと認識した後、さらに前記タッチ位置検出手段によって検出されたタッチ位置が移動した場合、該タッチ位置の移動量が第４条件を満たすかに応じて、前記操作オブジェクトによって前記タッチ位置を移動させる操作が継続されたと認識することを特徴とする請求項５に記載の情報処理装置。
【請求項７】
前記第４条件は、前記操作オブジェクトによって前記タッチ位置を移動させる操作が開始されたと判定されるために、前記タッチ位置検出手段によって検出されたタッチ位置が満たすべき条件よりも満たされ易い条件であることを特徴とする請求項６に記載の情報処理装置。
【請求項８】
入力対象面内に対して接触した状態にある操作オブジェクトによって示されるタッチ位置を検出するタッチ位置検出手段と、
前記入力対象面に対して近接した状態にある前記操作オブジェクトによって示される近接位置を検出する近接位置検出手段と、
前記タッチ位置検出手段によって検出されたタッチ位置と、該タッチ位置が検出されなくなった後の段階で前記近接位置検出手段によって検出された近接位置の両方によって示される前記操作オブジェクトの移動に基づいて、前記操作オブジェクトによってフリックが入力されたかを判定する認識手段とを備えることを特徴とする情報処理装置。
【請求項９】
前記認識手段は、前記操作オブジェクトの一連の動作において、前記タッチ位置検出手段によってタッチ位置が検出されなくなる前の段階で検出されたタッチ位置が、第５条件を満たす移動をしたか否かに応じて、前記近接位置検出手段によって検出された近接位置の移動によって満たされるか否かを判定する条件を異ならせ、前記タッチ位置と前記近接位置とがそれぞれの条件を満たす移動をした場合に、前記操作オブジェクトによってフリックが入力されたと判定することを特徴とする請求項８に記載の情報処理装置。
【請求項１０】
前記第５条件とは、前記操作オブジェクトが所定のスピードよりも高速な移動を伴って前記入力対象面からリリースされた場合に満たされる条件であり、
前記認識手段は、前記第５条件が満たされない場合、前記近接位置検出手段によって検出された近接位置の移動によって満たされるか否かを判定する条件を、前記第５条件が満たされた場合よりも厳しい条件とすることを特徴とする請求項９に記載の情報処理装置。
【請求項１１】
前記認識手段は、前記第５条件が満たされない場合、前記近接位置検出手段によって検出された近接位置の移動量が、第６条件を満たすかに応じて、前記操作オブジェクトによってフリックが入力されたと認識し、
前記第５条件が満たされた場合、前記タッチ位置検出手段によって検出されたタッチ位置の移動量が第７条件を満たすかに応じて、前記操作オブジェクトによってフリックが入力されたと認識することを特徴とする請求項１０に記載の情報処理装置。
【請求項１２】
前記第６条件は、前記入力対象面から前記所定のスピードよりも高速な移動を伴ってリリースされた前記操作オブジェクトが、前記入力対象面に近接した状態で、前記入力対象面に平行な方向に、前記第７条件を満たす場合よりも大きく移動した場合に満たされる条件であることを特徴とする請求項１１に記載の情報処理装置。
【請求項１３】
入力対象面内に対して接触した状態にある操作オブジェクトによって示されるタッチ位置を検出するタッチ位置検出手段と、
前記入力対象面に対して近接した状態にある前記操作オブジェクトによって示される近接位置を検出する近接位置検出手段と、
前記操作オブジェクトの前記タッチ位置による操作の種類を移動操作と認識するための初期条件を、前記タッチ位置検出手段によって前記タッチ位置が検出され始める前に前記近接位置検出手段によって検出された前記近接位置の移動量に応じて、変更する変更手段と、
前記操作オブジェクトが前記移動操作を開始したことを、前記検出されたタッチ位置と前記変更された条件に基づいて認識する認識手段と、を備えることを特徴とする情報処理装置。
【請求項１４】
タッチ位置検出手段により、入力対象面内に対して接触した状態にある操作オブジェクトによって示されるタッチ位置を検出するタッチ位置検出工程と、
近接位置検出手段により、前記入力対象面に対して近接した状態にある前記操作オブジェクトによって示される近接位置を検出する近接位置検出工程と、
認識手段により、前記タッチ位置検出工程において検出されたタッチ位置と、前記タッチ位置検出工程においてタッチ位置が検出され始める前の段階の前記近接位置検出工程において検出された近接位置の両方によって示される前記操作オブジェクトの移動に基づいて、前記操作オブジェクトによって前記タッチ位置を移動させる操作が開始されたと認識する認識工程と
を有することを特徴とする情報処理装置の制御方法。
【請求項１５】
タッチ位置検出手段により、入力対象面内に対して接触した状態にある操作オブジェクトによって示されるタッチ位置を検出するタッチ位置検出工程と、
近接位置検出手段により、前記入力対象面に対して近接した状態にある前記操作オブジェクトによって示される近接位置を検出する近接位置検出工程と、
認識手段により、前記タッチ位置検出工程において検出されたタッチ位置と、前記タッチ位置検出工程においてタッチ位置が検出されなくなった後の段階の前記近接位置検出工程において検出された近接位置の両方によって示される前記操作オブジェクトの移動に基づいて、前記操作オブジェクトによってフリックが入力されたと認識する認識工程と
を有することを特徴とする情報処理装置の制御方法。
【請求項１６】
コンピュータに読み込ませ実行させることによって、前記コンピュータを、請求項１乃至１３のいずれか１項に記載の情報処理装置として機能させることを特徴とするコンピュータが読み取り可能なプログラム。
【請求項１７】
請求項１６に記載のプログラムを格納したことを特徴とするコンピュータが読み取り可能な記憶媒体。
【手続補正２】
【補正対象書類名】明細書
【補正対象項目名】０００７
【補正方法】変更
【補正の内容】
【０００７】
上記課題を解決するため、本発明は、入力対象面内に対して接触した状態にある操作オブジェクトによって示されるタッチ位置を検出するタッチ位置検出手段と、前記入力対象面に対して近接した状態にある前記操作オブジェクトによって示される近接位置を検出する近接位置検出手段と、前記操作オブジェクトの前記タッチ位置による操作の種類を移動操作と認識するための条件を、前記タッチ位置検出手段によって前記タッチ位置が検出され始める前に、前記近接位置検出手段によって検出された前記近接位置の移動量に応じて決定する決定手段と、前記操作オブジェクトが前記移動操作を開始したことを、前記検出されたタッチ位置と前記決定された条件に基づいて認識する認識手段とを備える。